【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
３次元ボリュームデータにおける基準スライスのスライス位置である基準スライス位置の選択操作を受け付ける操作部と、
前記基準スライス位置に基づいて、基準スライス画像及び前記基準スライス画像の周辺に位置する周辺スライス画像を生成するスライス画像生成部と、
前記周辺スライス画像を、前記周辺スライス画像のスライス位置と前記基準スライス位置との関係に従って、前記基準スライス画像の周辺に配置し、表示部に表示させる画像配置部と、を備えることを特徴とする医用画像撮像装置。
【請求項２】
前記スライス画像生成部は、前記操作部が所定の継続操作を受け付けると、前記基準スライス画像及び前記周辺スライス画像の間のスライス幅を所定の時間間隔で変更し、前記周辺スライス画像を変更して生成する、
ことを特徴とする請求項１に記載の医用画像撮像装置。
【請求項３】
前記スライス画像生成部は、予め定められたスライス幅の下限値及び上限値の間で、前記基準スライス画像及び前記周辺スライス画像の間のスライス幅を連続的に変更し、前記周辺スライス画像を生成する、
ことを特徴とする請求項２に記載の医用画像撮像装置。
【請求項４】
前記スライス画像生成部は、予め定められたスライス幅の下限値及び上限値の間で、前記基準スライス画像及び前記周辺スライス画像のスライス幅が、前記スライス幅の下限値に達すると、前記スライス幅を広げるように変更し、前記周辺スライス画像を生成する、
ことを特徴とする請求項２に記載の医用画像撮像装置。
【請求項５】
前記スライス画像生成部は、予め定められたスライス幅の下限値及び上限値の間で、前記基準スライス画像及び前記周辺スライス画像のスライス幅が、前記スライス幅の上限値に達すると、前記スライス幅を狭めるように変更し、前記周辺スライス画像を生成する、
ことを特徴とする請求項２に記載の医用画像撮像装置。
【請求項６】
前記操作部が受け付けた操作を、前記スライス画像の生成及び表示に用いるパラメータに変換する入力パラメータ制御部と、
前記パラメータを記憶し、変更するパラメータ管理部と、
を更に備え、
前記スライス画像生成部は、前記３次元ボリュームデータと、前記パラメータと、前記基準スライス位置と、を用いて、前記基準スライス画像と前記周辺スライス画像とを生成する、
ことを特徴とする請求項１に記載の医用画像撮像装置。
【請求項７】
前記パラメータ管理部は、前記スライス画像のスライス幅と、スライス幅の変更ピッチと、スライス幅を広げる方向又は狭める方向の何れの方向に変更するかを定めたステータス情報と、を記憶し、
前記入力パラメータ制御部は、前記操作部が前記選択操作から継続する操作を受け付けると、その継続する操作を前記スライス幅の変更指示信号に変換し、
前記パラメータ管理部は、前記変更指示信号を受信中に、予め定められた時間間隔で、前記ステータス情報が定める方向に前記変更ピッチに従って段階的に前記スライス幅を変更し、
前記スライス画像生成部は、前記変更されたスライス幅を基にスライス画像を新たに生成し、
前記画像配置部は、前記新たに生成されたスライス画像を前記表示部の画面に配置し、前記表示部の更新表示を行う、
ことを特徴とする請求項６に記載の医用画像撮像装置。
【請求項８】
前記パラメータ管理部は、前記スライス幅の下限値及び上限値を更に記憶し、前記ステータス情報がスライス幅を狭める方向に設定された状態で、前記変更したスライス幅が前記スライス幅の下限値に達すると、前記ステータス情報を、スライス幅を広げる方向に変更し、前記ステータス情報がスライス幅を広げる方向に設定された状態で、前記変更したスライス幅が前記スライス幅の上限値に達すると、前記ステータス情報を、スライス幅を狭める方向に変更する処理を、前記スライス幅の変更指示信号の受信中に繰り返す、
ことを特徴とする請求項７に記載の医用画像撮像装置。
【請求項９】
前記操作部は、前記表示部に表示された任意のスライス画像を指定するポインティングデバイスと、前記指定されたスライス画像の選択操作を行う選択ボタンと、を備え、
前記入力パラメータ制御部は、前記選択ボタンが継続して押下げられると、継続した押下げ操作を前記スライス幅の変更指示信号に変換する、
ことを特徴とする請求項６に記載の医用画像撮像装置。
【請求項１０】
前記操作部は、前記表示部に表示されたカーソルを回転移動させるポインティングデバイスを備え、
前記入力パラメータ制御部は、前記カーソルを回転移動させる操作を、前記スライス幅の変更指示信号に変換する、
ことを特徴とする請求項６に記載の医用画像撮像装置。
【請求項１１】
前記表示部に表示されている前記基準スライス位置及び周辺スライス画像に対応する各スライス位置と、表示されていないスライス位置と、を弁別表示したスライス位置表示画像を生成するスライス位置表示画像処理部を更に備え、
前記入力パラメータ制御部は、前記スライス位置表示画像上での前記カーソルを回転移動する操作を、前記３次元ボリュームデータに対する各スライス画像のスライス面の角度変更指示信号に変換する、
ことを特徴とする請求項１０に記載の医用画像撮像装置。
【請求項１２】
前記表示部に表示されている基準スライス画像及び周辺スライス画像に対応する各スライス位置と、表示されていないスライス位置と、を弁別表示したスライス位置表示画像を生成し、前記表示部に表示させるスライス位置表示画像処理部を更に備える、
ことを特徴とする請求項１に記載の医用画像撮像装置。
【請求項１３】
前記操作部は、前記スライス位置表示画像上で、任意のスライス位置を前記基準スライス位置として選択する操作を受け付ける、
ことを特徴とする請求項１１に記載の医用画像撮像装置。
【請求項１４】
前記操作部は、タッチパネルを備え、
前記タッチパネルにおける前記スライス位置表示画像に対応する領域で間隔が空いた２点を押圧し、その２点の間隔を狭めるピンチイン操作を受け付けると、前記入力パラメータ制御部は、前記ピンチイン操作を、前記スライス幅を狭める指示信号に変換し、
前記操作部が、前記２点の間隔を広げるピンチアウト操作を受け付けると、前記入力パラメータ制御部は、前記ピンチアウト操作を、前記スライス幅を広げる指示信号に変換する、
ことを特徴とする請求項１３に記載の医用画像撮像装置。
【請求項１５】
前記操作部が、前記表示部に表示された任意のスライス画像上に位置する前記タッチパネルの領域内の１点を押圧し、その１点を任意の方向に弾くフリック操作を受け付けると、前記入力パラメータ制御部は、前記フリック操作により弾かれた方向に従って、前記基準スライス画像又は前記基準スライス位置を移動させる指示信号に変換する、
ことを特徴とする請求項１４に記載の医用画像撮像装置。
【請求項１６】
超音波を放射し、前記超音波の反射エコー信号を受信するプローブと、
前記超音波の送受信を制御し、前記反射エコー信号を基に受信信号を生成する制御部と、
前記受信信号を基に、被検体の３次元超音波ボリュームデータを生成する超音波画像構成部と、
前記３次元ボリュームデータを基に生成された、任意のスライス位置における２次元画像からなるスライス画像を表示する表示部と、
基準スライス画像のスライス位置である基準スライス位置の選択操作を受け付ける操作部と、
前記基準スライス位置に基づいて、前記基準スライス画像と前記基準スライス画像の周辺に位置する周辺スライス画像とを生成するスライス画像生成部と、
前記周辺スライス画像を、前記周辺スライス画像のスライス位置と前記基準スライス位置との位置関係に従って、前記基準スライス画像の周辺に配置する画像配置部と、
を備えることを特徴とする超音波診断装置。